(57)【要約】【課題】各種の遊園地、レジャー施設又は医療現場等で使用者の手首に装着し使用者を識別できる認識部材を具備する認識部材付リストバンドで、再利用可能な認識部材付リストバンドの提供。【解決手段】第一側面部と第二側面部とこれらを連結する連結片からなる略コ字形状のバックルの第一側面部及び第二側面部の端部に固定ピンを介して使用者を認識する認識部材を具備するベルトを取付け、固定ピンを回動中心とし、一端部が連結片と当接するよう固定ピンと直交して連結ピンを取付け、ベルトの長手方向に貫通孔を列設したベルトの端部をバックルと固定ピンとの間に通し、連結ピンを貫通孔に挿通して環状を形成可能とし、バックルの第一側面部に設けた軸部を中心として回動可能に係合し、第二側面部の内側面に設けた段部又は貫通孔と係合し、係合解除の際に連結ピンを露呈させ、係合時に連結ピンを覆うカバーを具備する認識部材付リストバンド。【選択図】  図１
2010000178.tif 000002
【特許請求の範囲】
【請求項１】
第一側面部と第二側面部とこれらを連結する連結片からなる略コ字形状のバックルにおける第一側面部及び第二側面部の端部に固定ピンを介して使用者を認識する認識部材を具備するベルトが取付けられ、
固定ピンを回動中心とし、一端部が連結片と当接するよう固定ピンと直交して連結ピンが取付けられ、
ベルトの長手方向に列設される貫通孔を有するベルトの端部をバックルと固定ピンとの間に通し、連結ピンを貫通孔に挿通して環状を形成可能とし、
バックルの第一側面部に設けられる軸部を中心として回動可能に係合され、第二側面部の内側面に設けられる段部又は貫通孔と係合し、係合解除の際には連結ピンを露呈させ、係合時においては連結ピンを覆うカバーを具備することを特徴とする認識部材付リストバンド。
【請求項２】
段部はバックルにおける第二側面部の内側面に設けられる壁部の下方に設けられ、段部と係合する係合爪を具備するカバーの係合片が、係合時において当該壁部に対して傾斜し間隙を形成することを特徴とする請求項１に記載の認識部材付リストバンド。
【請求項３】
貫通孔はバックルにおける第二側面部の内側面に設けられる壁部の下方に設けられ、当該内側面より貫通孔に係合するカバーの係合爪が、当該第二側面部の外側面より突出しないことを特徴とする請求項１に記載の認識部材付リストバンド。
【発明の詳細な説明】
【技術分野】
【０００１】
本発明は、各種の遊園地、レジャー施設又は医療現場等において、使用者の手首に装着し使用者を識別することができる認識部材を具備する認識部材付リストバンドであって、再利用が可能である認識部材付リストバンドに関するものである。
【背景技術】
【０００２】
従来より、医療の現場においては、患者の取り違いや注射液、薬品の間違え等を防止する為、ＩＣタグが付されたＩＣタグ付リストバンドを用いて患者を識別する方法が採用されている。当該ＩＣタグ付リストバンドは、バンド本体と、バンド本体の両端部同士を固定して環を形成させると共に、両端部同士の固定の取り外しを不能とするバンド固定具と、ＩＣタグと、バンド固定具に設けられ、ＩＣタグを収納するＩＣタグ収納部とを有する構成である（例えば、特許文献１参照）。
【０００３】
特許文献１に係る発明は、バンド固定具が取付時にバンド本体を取り外し不能に固定するので、不必要となるまでバンド本体を取付状態に保持することができるものである。しかし、患者が退院する等して、バンドが不必要となった際には、バンド本体を切断等して身体から取り外さなければならず、ＩＣタグ収納部に収納されるＩＣタグの再利用は可能であったが、バンド本体は再利用が不可能なものとなっていた。
【０００４】
一方、バックや荷物等を携帯したり、所定位置に固定、或いは携帯や固定位置からの取り外しを容易に行う為にする為に、ベルトの接続や分離を行う際に簡易型のバックルが多く使用される。
【０００５】
当該バックルにおける係合爪の誤開放を防止する為のロックカバーを有するロックカバー付バックルであって、主に、ベルトの一端側に固定された雄バックルと、ベルトの他端側に固定され雄バックルが挿入可能な雌バックルとからなり、雄バックルの挿入時に両者の係合をロックするとともに当該係合の解除操作をユーザから受け付けるロック部を有するバックル本体と、バックル本体の雄バックルまたは雌バックルのいずれか一方に開閉自在に設けられ、開状態の際にはロック部を露出させ、閉状態の際にはロック部を遮蔽するロックカバーとを含み、ロックカバーは、本体部と係合することで閉状態を維持する状態と、当該ロックカバーの閉状態から開状態への移行を許容する状態とに切り替え可能な係合部材を備えたものが公知である（例えば、特許文献２参照）。
【０００６】
特許文献２に係る発明は、ロック部がロックカバーにより完全に覆われるので、誤って触れてしまうことが防止され、誤開放を確実に防止することができるものである。しかし、ロックカバーには、閉状態から開状態に切換可能にする回転板なる係合部材を、別途設ける必要がある。当該回転板は、ロックカバーの表面からフックを有する係合子が挿通するようにして装着されるもので、バックル係合時おいては、雄バックルに形成されるロックバーに係合されるが、バックル係合時でない場合には、当該回転板はロックカバーに固着されていない為、ロックカバーより脱離してしまう虞があり、当該回転板を紛失してしまった際には、当該バックルの機能を果たさなくなる虞がある。
【特許文献１】特許公報  第３６０５３５７号
【特許文献２】特許公報  第３８８０６８９号
【発明の開示】
【発明が解決しようとする課題】
【０００７】
そこで、本発明はこのような問題点を解決するものであって、各種の遊園地、レジャー施設又は医療現場等において、使用者の手首に装着し使用者を識別することができる認識部材を具備する認識部材付リストバンドであって、再利用が可能である認識部材付リストバンドを提供することを課題とする。
【課題を解決するための手段】
【０００８】
前記問題点を解決するために、本発明の請求項１に記載の認識部材付リストバンドは、第一側面部と第二側面部とこれらを連結する連結片からなる略コ字形状のバックルにおける第一側面部及び第二側面部の端部に固定ピンを介して使用者を認識する認識部材を具備するベルトが取付けられ、固定ピンを回動中心とし、一端部が連結片と当接するよう固定ピンと直交して連結ピンが取付けられ、ベルトの長手方向に列設される貫通孔を有するベルトの端部をバックルと固定ピンとの間に通し、連結ピンを貫通孔に挿通して環状を形成可能とし、バックルの第一側面部に設けられる軸部を中心として回動可能に係合され、第二側面部の内側面に設けられる段部又は貫通孔と係合し、係合解除の際には連結ピンを露呈させ、係合時においては連結ピンを覆うカバーを具備することを特徴とするものである。
【０００９】
また、本発明の請求項２に記載の認識部材付リストバンドは、請求項１に記載の認識部材付リストバンドにおいて、段部はバックルにおける第二側面部の内側面に設けられる壁部の下方に設けられ、段部と係合する係合爪を具備するカバーの係合片が、係合時において当該壁部に対して傾斜し間隙を形成することを特徴とするものである。
【００１０】
また、本発明の請求項３に記載の認識部材付リストバンドは、請求項１に記載の認識部材付リストバンドにおいて、貫通孔はバックルにおける第二側面部の内側面に設けられる壁部の下方に設けられ、当該内側面より貫通孔に係合するカバーの係合爪が、当該第二側面部の外側面より突出しないことを特徴とするものである。
【発明の効果】
【００１１】
請求項１の発明によれば、バックルの第一側面部に設けられる軸部を中心として回動可能に係合され、第二側面部の内側面に設けられる段部又は貫通孔と係合し、係合解除の際には連結ピンを露呈させ、係合時においては連結ピンを覆うカバーを具備するので、カバーにおける係合を解除しない限り、連結ピンを固定ピンに対して自在に回動させることができないので、認識部材付リストバンドを脱着することが不可能となる。
これによって、各種の遊園地、レジャー施設又は医療現場等において、使用者の手首に認識部材付リストバンドを装着することで、認識部材付リストバンドの紛失等が生じることがなく、確実に使用者を識別することができる。
また、当該係合を解除することで、カバーは軸部を中心として回動自在となり、連結ピンが回動可能となるので、認識部材付リストバンドを脱着することが可能となる。
これによって、認識部材付リストバンドにおけるベルトを切断することなく、脱着することができ、再利用することが可能となる。
更に、認識部材付リストバンドの不使用時においても、カバーにおける係合爪をバックルにおける段部又は貫通孔に係合させておくか、或いは段部又は貫通孔に係合されていなくても、環部が軸部に係合されているので、当該カバーを紛失する虞を防止することができる。
【００１２】
請求項２の発明によれば、請求項１に記載の認識部材付リストバンドにおいて、段部はバックルにおける第二側面部の内側面に設けられる壁部の下方に設けられ、段部と係合する係合爪を具備するカバーの係合片が、係合時において当該壁部に対して傾斜し間隙を形成するので、使用者が素手、爪等で係合を解除することは困難であるが、当該間隙に薄板等のリリース部材を挿入して、係合片を押圧して撓ませることで、当該係合を解除させることができる。
【００１３】
請求項３の発明によれば、請求項１に記載の認識部材付リストバンドにおいて、貫通孔はバックルにおける第二側面部の内側面に設けられる壁部の下方に設けられ、当該内側面より貫通孔に係合するカバーの係合爪が、当該第二側面部の外側面より突出しないので、使用者が素手、爪等で係合を解除することは困難であるが、当該貫通孔に薄板等のリリース部材を挿入して、係合片を押圧して撓ませることで、当該係合を解除させることができる。
また、カバーの係合を解除する際には、請求項２に記載の認識部材付リストバンドのようにバックルの上方よりリリース部材を挿入するのではなく、第二側面部における外側面よりリリース部材を挿入するので、使用者における手首に対して水平方向からリリース部材を挿入することとなり、安全性を向上することができる。
【発明を実施するための最良の形態】
【００１４】
以下、本発明の実施の形態における認識部材付リストバンドを図面に基づいて説明する。
【００１５】
図１は、本発明の実施例１における認識部材付リストバンドの正面図である。図２は、本発明の実施例１における認識部材付リストバンドにカバーを係合させる前の（ａ）一部省略拡大正面図、（ｂ）一部省略拡大Ａ―Ａ断面図である。図３は、本発明の実施例１における認識部材付リストバンドのカバーの（ａ）斜視図、（ｂ）正面図である。図４は、本発明の実施例１における認識部材付リストバンドにカバーを係合させた後の（ａ）一部省略拡大正面図、（ｂ）一部省略拡大Ｂ―Ｂ断面図である。図５は、本発明の実施例１における認識部材付リストバンドにカバーを係合させた後の（ａ）一部省略拡大Ｃ−Ｃ断面図、（ｂ）カバーの係合を解除した（ａ）における一部省略拡大断面図である。図６は、本発明の実施例２における認識部材付リストバンドにカバーを係合させた後の一部省略拡大正面図である。図７は、本発明の実施例２における認識部材付リストバンドにカバーを係合させた後の（ａ）一部省略拡大Ｄ−Ｄ断面図、（ｂ）カバーの係合を解除した（ａ）における一部省略拡大断面図である。
【実施例１】
【００１６】
本発明の認識部材付リストバンドの実施例１について図１乃至図５に基づいて説明する。
【００１７】
図１に示すように、認識部材付リストバンド１は、バックル２、ベルト３、連結ピン４、固定ピン５、留め部６、認識部材７及びカバー８より構成されている。ここで、当該バックル２、ベルト３、連結ピン４、固定ピン５及び留め部６における構造は、従来からの腕時計におけるバックル及びバンドの構造と略同様のものである。
【００１８】
バックル２は、図２及び図５に示すように、材質をポリエチレン、ウレタン等の合成樹脂製とし略コ字形状に形成され、第一側面部２ａ及び第二側面部２ｂを連結する連結片２ｃを有してなる。また、略コ字形状の一端部を構成する第一側面部２ａにおける長手方向の略中央下方部には、後述するカバー８の環部８ｂを係合させる為の軸部２ｅが長手方向に沿って設けられている。一方、略コ字形状の他端部を構成する第二側面部２ｂにおける長手方向の略中央部には、後述するカバー８の係合爪８ｄを係合させる為の壁部２ｆ及び段部２ｇが長手方向に沿って設けられている。壁部２ｆは、図５（ａ）及び（ｂ）に示すように、バックル２の高さ方向に対して並行して設けられており、当該下方には、第二側面部２ｂの内側面から外側面に向かって段部２ｇが設けられている。このとき、軸部２ｅ及び壁部２ｆは、それぞれが対向するように設けられる。更に、連結片２ｃには、後述する連結ピン４の先端部を収納する溝部２ｄが形成されており、第一側面部２ａ及び第二側面部２ｂの先端部には、バックル２、ベルト３及び連結ピン４を一体とする為の固定ピン５を挿通する為の軸孔（図示しない）が設けられている。当該溝部２ｄは、図２（ｂ）に示すように、連結ピン４が収納された状態において、連結ピン４がバックル２の上端面より突出しないようにして形成される。
【００１９】
ベルト３は、図１に示すように、認識部材付リストバンド１のバンド部分に該当し、使用者の手首に巻かれる部分で、ポリエチレン等の合成樹脂からなる。当該一端部における幅方向の略中央部には、手首に装着後の長さ変更を可能とする貫通孔３ａが長手方向に列設され、他端部付近には認識部材７を設置する為に幅寸法を狭くした取付部３ｂが設けられている。
また、ベルト３の同他端部における幅方向には、固定ピン５を挿通する為の貫通孔（図示しない）が設けられており、幅方向の略中央部には連結ピン４を収納する凹部（図示しない）が設けられている。
【００２０】
図１及び図２に示すように、連結ピン４は、認識部材付リストバンド１が使用者の手首に巻かれる際、ベルト３における貫通孔３ａに挿通されて、認識部材付リストバンド１を環状に維持する為に使用される。当該連結ピン４は、固定ピン５を回動中心とし、一端部がバックル２における連結片２ｃの溝部２ｄと当接するように、固定ピン５と直交して、固定ピン５に取付けられる。
固定ピン５は、ベルト３の他端部にて、バックル２、ベルト３及び連結ピン４を一体とする為に使用される。留め部６は、バックル２と認識部材７との間のベルト３に設置され、使用者の手首に装着されたベルト３の余分をベルト３と一体にする為に使用される。認識部材７とは、各種の情報を組み込んだＩＣタグ、各種の遊園地、レジャー施設又は医療現場等といった使用者を特定して認識し得る部材を指すものである。
当該部材から構成される認識部材付リストバンド１は、ベルト３の長手方向に列設される貫通孔３ａを有するベルトの端部をバックル２と固定ピン５とが形成する間隙に通し、連結ピン４を貫通孔３ａに挿通することで環状を形成可能とする。
【００２１】
図３及び図４に示すように、カバー８は、材質をポリエチレン、ウレタン等の合成樹脂製とし、略長方形の上端部８ａにおける当該長手方向の一端部の略中央部から下方へ向けて、バックル２における軸部２ｅと係合し得る略コ字状の環部８ｂを有し、他端部の略中央部から同様の下方で、カバー８の外側方向に向けて傾斜する係合片８ｃを有して成る。また、係合片８ｃの先端部には、カバー８の外側方向に向けてバックル２における段部２ｇと係合し得る係合爪８ｄを有する。
このとき、上端部８ａは、図２（ａ）に示すように、バックル２とベルト３が形成する間隙と略同等の大きさであることが望ましい。
【００２２】
このようにして形成されるカバー８は、図４及び図５（ａ）に示すようにして、バックル２に係合される。具体的には、バックル２における軸部２ｅにカバー８における環部８ｂを係合させ、軸部２ｅを中心として回動自在に係合する。一方、カバー８における係合片８ｃの係合爪８ｄは壁部２ｆと当接するものの、合成樹脂の弾性により係合片８ｃが環部８ｂの有する方へ撓み、摺動しながら壁部２ｆの下方へ位置する段部２ｇに係合爪８ｄが係合される。このとき、図４（ａ）に示すように、カバー８は、連結ピン４に対して直交するように配置される。また、図４（ｂ）に示すように、カバー８の上端部８ａは、バックル２の上端面と同一の平面を構成する。
【００２３】
これによって、図４（ｂ）に示すように、連結ピン４は上方よりカバー８によって覆われる。従って、カバー８における係合を解除しない限り、連結ピン４を固定ピン５に対して自在に回動させることができないので、認識部材付リストバンド１を脱着することが不可能となる。
【００２４】
当該係合の解除にあたっては、図５（ａ）に示すように、傾斜する係合片８ｃと垂直に立設する壁部２ｆが形成する間隙９に、矢印Ｐ方向から薄板等のリリース部材（図示しない）を挿入し、係合片８ｃを環部８ｂの方向に押圧して撓ませ、係合爪８ｄを段部２ｇから離反させて、当該係合を解除させる。
これにより、図５（ｂ）に示すように、カバー８は、環部８ｂが係合される軸部２ｅを中心として回動自在となるので、連結ピン４が回動可能となり、認識部材付リストバンド１を脱着することが可能となる。
当該係合は、装着された使用者が特別な道具等（例えば、リリース部材等）を使用することなく、素手、爪等で解除することが困難なものであり、各種の遊園地、レジャー施設又は医療現場等において、使用者以外の者が所有するリリース部材によらなければ解除が困難なものである。
【００２５】
以上、説明した本発明の実施例１に係る認識部材付リストバンド１によれば、バックル２にカバー８を係合させることで、連結ピン４を上方より覆い、カバー８における係合を解除しない限り、連結ピン４を固定ピン５に対して自在に回動させることができないので、認識部材付リストバンド１を脱着することが不可能となる。
これによって、各種の遊園地、レジャー施設又は医療現場等において、使用者の手首に認識部材付リストバンド１を装着することで、認識部材付リストバンド１の紛失等が生じることがなく、確実に使用者を識別することができる。
また、使用者以外の者によって、認識部材付リストバンド１における間隙９に薄板等のリリース部材を挿入して、係合片８ｃを押圧して撓ませ、係合爪８ｄを段部２ｇから離反させて、当該係合を解除させることができるので、カバー８は軸部２ｅを中心として回動自在となり、連結ピン４が回動可能となるので、認識部材付リストバンド１を脱着することが可能となる。
これによって、認識部材付リストバンド１におけるベルト３を切断することなく、脱着することができ、再利用することが可能となる。
更に、認識部材付リストバンド１の不使用時においても、カバー８における係合爪８ｄをバックル２における段部２ｇに係合させておくか、或いは段部２ｇに係合されていなくても、環部８ｂが軸部２ｅに係合されているので、当該カバー８を紛失する虞を防止することができる。
【実施例２】
【００２６】
また、本実施例においては、実施例１におけるカバー８の係合箇所が相違するものであるが、実施例１と略同様の作用及び効果を有する。本発明の認識部材付リストバンド１Ａの実施例２について図６乃至図７に基づいて説明する。
【００２７】
本実施例におけるバックル２における壁部２ｈは、実施例１と同様にして、略コ字形状の他端部を構成する第二側面部２ｂにおける長手方向の略中央部に長手方向に沿って設けられている。当該壁部２ｈは、図７（ａ）及び（ｂ）に示すように、第一側面部２ａを有する方へ傾斜して設けられる。また、第二側面部２ｂの下方であって、外側面には内側面へ貫通する貫通孔２ｉが設けられている。
【００２８】
また、カバー８は、実施例１と同様にして、略長方形の上端部８ａにおける当該長手方向の一端部の略中央部から下方へ向けて、バックル２における軸部２ｅと係合し得る略コ字状の環部８ｂを有し、他端部の略中央部から同様の下方に向けて係合片８ｃを有して成る。また、係合片８ｃの先端部には、カバー８の外側方向に向けてバックル２における貫通孔２ｉに係合し得る係合爪８ｄを有する。
【００２９】
このようにして形成されるカバー８は、図６及び図７（ａ）に示すようにして、バックル２に係合される。具体的には、バックル２における軸部２ｅにカバー８における環部８ｂを係合させ、軸部２ｅを中心として回動自在に係合する。一方、カバー８における係合片８ｃの係合爪８ｄは壁部２ｈと当接するものの、合成樹脂の弾性により係合片８ｃが環部８ｂの有する方へ撓み、摺動しながら壁部２ｈの下方へ位置する貫通孔２ｉに係合爪８ｄが第二側面部２ｂの内側面より係合される。このとき、当該内側面より貫通孔２ｉに係合されるカバー８の係合爪８ｄは、当該第二側面部２ｂの外側面より突出しないようにして係合される。
【００３０】
当該係合の解除にあたっては、図７（ａ）に示すように、第二側面部２ｂの外側面に設けられる貫通孔２ｉに、矢印Ｑ方向から実施例１と同様のリリース部材（図示しない）を挿入し、係合爪８ｄを環部８ｂの方向に押圧して係止片８ｃを撓ませ、係合爪８ｄを貫通孔２ｉから離反させて、当該係合を解除させる。
これにより、図７（ｂ）に示すように、カバー８は、環部８ｂが係合される軸部２ｅを中心として回動自在となるので、連結ピン４が回動可能となり、認識部材付リストバンド１Ａを脱着することが可能となる。
【００３１】
以上、説明した本発明の実施例２に係る認識部材付リストバンド１Ａによれば、実施例１における認識部材付リストバンド１と略同様の作用及び効果を有するものであるが、カバー８の係合を解除する際には、実施例１のようにバックル２の上方よりリリース部材を挿入するのではなく、第二側面部２ｂにおける外側面よりリリース部材を挿入するので、手首に対して水平方向からリリース部材を挿入することとなり、安全性を向上することができる。
【００３２】
更に、実施例１及び実施例２においては、カバー８の一端部に環部８ｂを設け、他端部に係合爪８ｄを設ける構造であったが、環部８ｂを設けることなくカバー８の両端部に係合爪８ｄを有する係合片８ｃとすることもできる。
係る際には、バックル２においても、第一側面部２ａの軸部２ｅを実施例１における段部２ｇ、若しくは、実施例２における貫通孔２ｉに置換させる必要がある。すなわち、バックル２における第一側面部２ａ及び第二側面部２ｂを同一の構造とすることで、両端部に係合片８ｃを有するカバー８を係合させることができる。
【図面の簡単な説明】
【００３３】
【図１】本発明の実施例１における認識部材付リストバンドの正面図である。
【図２】本発明の実施例１における認識部材付リストバンドにカバーを係合させる前の（ａ）一部省略拡大正面図、（ｂ）一部省略拡大Ａ―Ａ断面図である。
【図３】本発明の実施例１における認識部材付リストバンドのカバーの（ａ）斜視図、（ｂ）正面図である。
【図４】本発明の実施例１における認識部材付リストバンドにカバーを係合させた後の（ａ）一部省略拡大正面図、（ｂ）一部省略拡大Ｂ―Ｂ断面図である。
【図５】本発明の実施例１における認識部材付リストバンドにカバーを係合させた後の（ａ）一部省略拡大Ｃ−Ｃ断面図、（ｂ）カバーの係合を解除した（ａ）における一部省略拡大断面図である。
【図６】本発明の実施例２における認識部材付リストバンドにカバーを係合させた後の一部省略拡大正面図である。
【図７】本発明の実施例２における認識部材付リストバンドにカバーを係合させた後の（ａ）一部省略拡大Ｄ−Ｄ断面図、（ｂ）カバーの係合を解除した（ａ）における一部省略拡大断面図である。
【符号の説明】
【００３４】
１、１Ａ  認識部材付リストバンド
２    バックル
２ａ  第一側面部
２ｂ  第二側面部
２ｃ  連結片
２ｄ  溝部
２ｅ  軸部
２ｆ、２ｈ  壁部
２ｇ  段部
２ｉ  貫通孔
３    ベルト
３ａ  貫通孔
３ｂ  取付部
４    連結ピン
５    固定ピン
６    留め部
７    認識部材
８    カバー
８ａ  上端部
８ｂ  環部
８ｃ  係合片
８ｄ  係合爪
９    間隙
【図１】
2010000178.tif 000003
【図２】
2010000178.tif 000004
【図３】
2010000178.tif 000005
【図４】
2010000178.tif 000006
【図５】
2010000178.tif 000007
【図６】
2010000178.tif 000008
【図７】
2010000178.tif 000009